(57)【要約】  【課題】      試着用の下着のサンプル保有数を少なくでき、かつ試着の履き替えが必要なく、しかも試着者の体型に合った下着サイズのものを正確に着用でき、選定できるようにすることにある。  【解決手段】      適正な衣服圧のガードルやボディスーツ等の下着１を着用したり、選定するために、ガードルやボディスーツ等の下着１の両側部にスライドファスナー２の左係合片２ａと右係合片２ｂを所定の間隔でそれぞれ係合可能に配設している。スライドファスナー２は、下着１の両側部にそれぞれ複数本ずつ係合可能に配設することもできる。【選択図】      図２
2006188785.tif 000002
【特許請求の範囲】
【請求項１】
適正な衣服圧のガードルやボディスーツ等の下着を着用したり、選定するために、ガ
ードルやボディスーツ等の下着の両側部にスライドファスナーの左係合片と右係合片を所
定の間隔でそれぞれ係合可能に配設したことを特徴とするガードルやボディスーツ等の下
着。
【請求項２】
スライドファスナーを下着の両側部にそれぞれ複数本ずつ係合可能に配設した請求項
１に記載のガードルやボディスーツ等の補正用下着。
【請求項３】
スライドファスナーを下着の上端部から下端部にわたって配設した請求項１または２
に記載のガードルやボディスーツ等の下着。
【請求項４】
スライドファスナーの左係合片と右係合片をウエスト部、ヒップ部、足口部に対応し
てそれぞれ所定量だけ離して係合可能に配設した請求項１ないし３のいずれかに記載のガ
ードルやボディスーツ等の下着。
【発明の詳細な説明】
【技術分野】
【０００１】
本発明は、衣服分野における適正な衣服圧の下着を着用したり、選択することができ
るガードルやボディスーツ等の下着に関するものである。
【背景技術】
【０００２】
下着について、周知のように製造者や販売者は着用者の体型に対応していろいろなサ
イズのものを用意し、顧客がそのいろいろなサイズのものを試着して最もフィットしたも
のを採択できるようにしている。
【０００３】
特に、ガードルやボディスーツ等の補整用下着では、ヒップラインやボディラインを
整えることから肌になじみ、身体にぴったりフィットする適合性や長時間着用しても苦し
くなく着用できる快適性、身体の動きに追従して正しい位置をキープする運動性等の各特
性を考慮し、身体のサイズに合わせて組成、機能、価格など多種多様のものが用意されて
いる。
【０００４】
そして、顧客への販売にあたっては、顧客の身体に対応すると思われるサイズの前後
のものを試着してもらい、上記したように適合性、快適性、運動性等を判断して最適なも
のを購入してもらっている。
【０００５】
しかし、たとえばガードルを試着するにあっては、小さいサイズのものを着用した場
合、当然次の大きいサイズのガードルへの履き替えが必要となり、この履き替えによる血
流量や皮膚の温度などの増減の変化が生じ、適正な衣服圧による圧迫感に相違が生じやす
い。また、ガードルの履き替えは容易でなく、かつ試着用のサンプルガードルの保有数が
多くなるものであった。
【０００６】
そこで、ガードルやボディスーツについて、先行特許調査を行った結果、特開平１１
−２２９２０３号公報、特開２００３−２３９１３０号公報、特開２００３−３２８２２
４号公報などが検索された。
特開平１１−２２９２０３号公報は、ガードル等の着脱しやすいフロントに開閉部を
有するもので、この開閉部を表布地と裏布地の二重構造としてこれらを連続して開閉可能
にスライドファスナーを取り付け、スライドファスナーを表布地側と裏布地側を開閉して
二段調整するようにしたものである。
【０００７】
また、特開２００３−２３９１３０号公報は、着用時にフィット感が得られるオーダ
ーメイド用計測サンプルのもので、ウエスト部にウエストサイズを拡縮調整可能なウエス
ト計測手段を設け、ヒップ部にヒップカップサイズを拡縮調整可能なヒップカップ計測手
段を設け、試着してウエスト部、ヒップカップ部のカスタムサイズを計測してカスタムサ
イズの衣類を製造することが提案されている。
【０００８】
さらに、特開２００３−３２８２２４号公報は、インターネットのショップサーバー
に指定される下着のサンプル画像を表示して、製品のコストアップを招くことなく、多様
化でき、顧客のニーズに対応することが提案されている。
【特許文献１】特開平１１−２２９２０３号公報
【特許文献２】特開２００３−２３９１３０号公報
【特許文献３】特開２００３−３２８２２４号公報
【０００９】
しかし、上記した特開平１１−２２９２０３号公報のものは顧客が衣服圧の適正なサ
イズのものを試着して購入するためのものではなく、また特開２００３−２３９１３０号
公報のものは顧客が身体にフィットするサイズのものを計測できるものの、このサンプル
のものを選定するのにヒップサイズを変えたボトム計測サンプルのものを複数種類用意し
なければならず、２度にわたってサンプルを履き替えなければならず、トータルのサンプ
ル数もそう削減することができない。さらに、特開２００３−３２８２２４号公報は、い
わゆるインターネットによるバーチャルショップのもので、着用しなければ身体へのフィ
ット感が正確に判断できなく、多くの点で不満足なことが多いものである。
【発明の開示】
【発明が解決しようとする課題】
【００１０】
本発明は、試着用のサンプル保有数を少なくでき、かつ試着の履き替えが必要なく、
しかも試着者の体型に合ったサイズ、機能のものを正確に着用でき、選定できるようにす
ることが課題であった。
【課題を解決するための手段】
【００１１】
本発明は、上記のような点に鑑みたもので、上記の課題を解決するために、適正な衣
服圧のガードルやボディスーツ等の下着を着用したり、選定するために、ガードルやボデ
ィスーツ等の下着の両側部にスライドファスナーの左係合片と右係合片を所定の間隔でそ
れぞれ係合可能に配設したことを特徴とするガードルやボディスーツ等の下着を提供する
にある。
【００１２】
また、スライドファスナーを下着の両側部にそれぞれ複数本ずつ係合可能に配設した
ガードルやボディスーツ等の補正用下着を提供するにある。
【００１３】
さらに、スライドファスナーを下着の上端部から下端部にわたって配設したガードル
やボディスーツ等の下着を提供するにある。
【００１４】
さらにまた、スライドファスナーの左係合片と右係合片をウエスト部、ヒップ部、足
口部に対応してそれぞれ所定量だけ離して係合可能に配設したガードルやボディスーツ等
を提供するにある。
【発明の効果】
【００１５】
本発明のガードルやボディスーツ等の下着は、ガードルやボディスーツ等の下着の両
側部にスライドファスナーの左係合片と右係合片を所定の間隔でそれぞれ係合可能に配設
したので、この下着を試着し、少し大きければ両側のスライドファスナーを係合すると、
下着のサイズが小さくなり、下着を履き替えなくても、身体への適合性、快適性、運動性
等の特性を判断することができる。そのため、サンプル用の下着の保有数を削減できると
ともに、顧客に対して試着回数の減少、試着の負担を減少できて販売の促進がはかれる。
【００１６】
また、スライドファスナーを下着の両側部にそれぞれ複数本ずつ係合可能に配設する
ことによって、１枚のサンプルで履き替えることなく複数のサイズの身体への適合性、快
適性、運動性等の各特性を判別でき、より一層のサンプル用の下着の保有数を削減できる
とともに、顧客に対して試着回数の減少、負担を減少できて販売の促進がはかれる。
【００１７】
特に、スライドファスナーを下着の上端部から下端部にわたって配設することによっ
て、１枚の下着であるにもかかわらず、履き替えることなく異なるサイズの下着の身体へ
の適合性、快適性、運動性等の各特性を判別できる。
【００１８】
また、スライドファスナーの左係合片と右係合片をウエスト部、ヒップ部、足口部に
対応してそれぞれ所定量だけ離して係合可能に配設することによって、上記のように試着
でき、身体への適合性、快適性、運動性等の各特性を判別できるものである。
【発明を実施するための最良の形態】
【００１９】
本発明のガードルやボディスーツ等の下着は、適正な衣服圧のガードルやボディスー
ツ等の下着を着用したり、選定するために、ガードルやボディスーツ等の下着の両側部に
スライドファスナーの左係合片と右係合片を所定の間隔でそれぞれ係合可能に配設したこ
とを特徴としている。
【００２０】
適正な衣服圧を得られる下着１は、ガードルやボディスーツのような身体にフィット
して補整する補整用のものが好適であって、図１、図２のようにガードルの両側部に左右
片を係合可能なスライドファスナー２をそれぞれ２本ずつ配設し、１枚のガードルであり
ながら履き替えることなく複数サイズの試着と同様の肌になじみ、身体にぴったりフィッ
トする適合性や、長時間着用しても苦しくなく着用できる快適性、身体の動きに追従して
正しい位置をキープする運動性等の各特性を判断できるようにしている。
【００２１】
上記ガードルの下着１としては、図１、図２のようなセミロングのほかにも、ショー
ト、ハイウエスト、ロングにも適用できて、ガードルを縫製する所定の伸縮生地にフロン
ト部３に縦方向のみに伸縮するパワーネットを縫着したり、両側部４にそれぞれ縦横に伸
縮するパワーネットで横腹からしっかりとヒップ部５をサポートするように縫着するとと
もに、後部に４枚はぎを立体的に縫着してヒップを高い位置にキープして補整するハード
タイプやソフトタイプ等のいろいろなタイプのものに適用できるものである。
【００２２】
スライドファスナー２は、このようなガードルの下着１の両側部４の脇中央からやや
前側とやや後側に図１、図２のようにそれぞれスライドファスナー２を左右分離したテー
プ状の左係合片２ａと右係合片２ｂを１６〜３０ｍｍの間隔で、下着１の上端のウエスト
部６からヒップ部５を介して下端の足口７にわたって縫着し、これらのスライドファスナ
ー２の左係合片２ａと右係合片２ｂをファスナー係合具８を介して係合可能として、１枚
のガードルに対して３サイズのものが履き替えることなく、その適合性等を判断できるも
のとしている。９はまち、１０は装飾用のレースである。
【００２３】
上記したスライドファスナー４の分離したフレキシブルな左係合片２ａ、右係合片２
ｂは、図２（ｂ）のようにウエスト部６でｗ＝１７〜２１ｍｍ、ヒップ部５でｈ＝２０〜
３０ｍｍ、足口部７でｌ＝１６〜２４ｍｍといったように脇中心に対して従来のサイズに
対応した所定の間隔で配設し、これらの両側に対称位置にある左係合片２ａ、右係合片２
ｂを噛み合せて係合することで、所定の３サイズのものに対応するようにしている。
【００２４】
特に、スライドファスナー４の左右の係合片２ａ、２ｂは、図１、図２のようにガー
ドルの下着１の上下端よりも３〜５cmだけそれぞれ突き出して、下着１を着用していても
ファスナー係合具８の係合、脱離を容易に行えるようにしている。
【実施例】
【００２５】
図１以下は、本発明の実施例を示すもので、図１、図２のようにセミロングガードル
の下着１の着用に支障のない両側部のやや前側とやや後側にフレキシブルなスライドファ
スナー２を左右２本ずつ、それらの上下端を下着１からそれぞれ４cmずつ突き出して縫着
して、１枚のガードルで３サイズのものを試着対応可能に配設したものである。
【００２６】
そして、試着用の下着１について、その衣服圧を測定し、従来の各サイズのものとの
相関について調べた。その試着用のガードルの下着１は、ウエストサイズ７０と７６の２
種のものにスライドファスナー４の左係合片２ａと右係合片２ｂの間隔を次のように設定
して縫着した。
サイズ７０      サイズ７６
ウエスト部：前側        １．７cm        １．８cm
後側        １．８cm        ２．１cm
ヒップ部  ：前側        ２．０cm        ２．５cm
後側        ２．５cm        ３．０cm
足口部    ：前側        １．６cm        ２．４cm
後側        ２．４cm        ２．４cm
したがって、サイズ７０では６４と５８、サイズ７６では７０と６４の各３サイズの
ものに対応することができる。
【００２７】
上記の試作品のウエスト部位、おなか部位、大腿部位での衣服圧について、既製品と
比較計測の結果は、図３、図４の通りで、図３のようにサイズ７０ではｒ＝０．９９、図
４のようにサイズ７６ではｒ＝０．９６の相関があり、試作品の精度が高いことが確認で
きた。特に、ベルベットファスナーと違って伸縮やずれのないスライドファスナーによっ
て、精度の高い試着のものが得られた。
【００２８】
したがって、本発明の下着を活用することによって、サンプル保有数の削減や試着回
数の低減がはかれ、またサイズ調整機能をもったガードル等の下着としても実用化でき、
さらに衣服圧の体験学習等のデモンストレーション、シミュレーションの教材としても利
用できる。
【００２９】
以上では、下着の中で特にガードルについて説明し、ガードルのような身体にフィッ
トして補整する補整用のものが好ましいが、ボディスーツにも同様に適用可能であり、さ
らにインナーシャツ、ロングブラジャー、ボトム、水着などの身体に密着するものについ
ても適用可能である。
【００３０】
また、上記では下着の両側にそれぞれ２本のスライドファスナーを配設したが、必要
によりそれぞれ１本としたり、さらに追加して４サイズ以上の多様化をはかることも可能
である。
【図面の簡単な説明】
【００３１】
【図１】本発明の一実施例のガードルの一部省略した正面図（ａ）と背面図（ｂ）、
【図２】同上の側面図（ａ）と一部拡大図（ｂ）、
【図３】同上のサイズ７０の試着時の既存品との衣服圧の相関図、
【図４】同上のサイズ７６の試着時の既存品との衣服圧の相関図。
【符号の説明】
【００３２】
１…下着      ２…スライドファスナー    ２ａ…左係合片    ２ｂ…右係合片
５…ヒップ部  ６…ウエスト部              ７…足口
【図１】
2006188785.tif 000003
【図２】
2006188785.tif 000004
【図３】
2006188785.tif 000005
【図４】
2006188785.tif 000006